(57)【要約】【課題】火災発生時にも障子上辺の上レール部に対する掛かりを維持して室内外の貫通を防止することのできるサッシを提供する。【解決手段】上枠１０と下枠１１及び左右の縦枠１２を枠組みしてなる枠体２内に、上框２０と下框３０及び左右の縦框４０，６０を框組みした框体４内にパネル体５を納めた障子３を納め、上枠１０には障子３の上辺を案内する上レール部１１ｃが形成され、框体４の上辺には上レール部１１ｃを飲み込む凹状の上案内部２３，６３が形成され、上案内部には上レール部１１ｃの室内側面と見付方向に向かい合う上レール対向部２５ｂ，７３が設けられる。【選択図】図９
2014109090.tif 000002
【特許請求の範囲】
【請求項１】
上枠と下枠及び左右の縦枠を枠組みしてなる枠体内に、上框と下框及び左右の縦框を框
組みした框体内にパネル体を納めてなる障子を納めたサッシにおいて、
前記上枠には前記障子の上辺を案内する上レール部が形成され、前記框体の上辺には前
記上レール部を飲み込む凹状の上案内部が形成され、該上案内部には前記上レール部の室
内側面と見込方向に向かい合う上レール対向部が設けられることを特徴とするサッシ。
【請求項２】
前記縦框には長手方向に沿って補強芯材が設けられ、該補強芯材の上端部に前記上レー
ル対向部が設けられることを特徴とする請求項１記載のサッシ。
【請求項３】
前記補強芯材の上レール対向部は前記縦框の上案内部の室内側辺に沿うように形成され
ることを特徴とする請求項２記載のサッシ。
【請求項４】
前記上框には前記上レール対向部を有した振止部材が固定されることを特徴とする請求
項１〜３のいずれか１項に記載のサッシ。
【請求項５】
前記振止部材は、前記上框の上案内部内に固定される固定部と、該固定部から伸びる前
記上レール対向部とからなり、該上レール対向部は前記上案内部を構成する室内側壁に沿
うことを特徴とする請求項４記載のサッシ。
【発明の詳細な説明】
【技術分野】
【０００１】
本発明は、枠体内に内外障子を納めたサッシに関し、特に火災発生時に障子を構成する
框材の強度が低下しても、上レールに対する掛かりを維持して障子が枠体から外れること
を防止したサッシに関する。
【背景技術】
【０００２】
建物開口部に設けられる枠体内に内外障子を納めた引き違いサッシは、上枠に上レール
部を、下枠に下レール部を、それぞれ備え、障子の上辺が上レール部に、障子の下辺が下
レール部に、それぞれ案内される。障子の上辺を構成する上框には、上方に開放状の上案
内溝が形成され、上レール部が飲み込まれる。また、縦框の上端部には、上レール部を飲
み込むように凹状の切欠部が形成されている。このような引き違いサッシとしては、例え
ば特許文献１に挙げるようなものがある。
【先行技術文献】
【特許文献】
【０００３】
【特許文献１】特開２０１２−１２２３０３号公報
【発明の概要】
【発明が解決しようとする課題】
【０００４】
火災が発生してサッシが高温に晒されると、障子を構成する框材は熱伸びを生じると共
に、室内外の温度差などによって反りも生じる。室外側から高温に晒された場合には、室
外側面の方が高温になるため、框材は室外側に向かって凸状となるように屈曲する。この
とき、障子の上辺において上框及び縦框は、室外側に向かって開く方向に力を受けること
となる。
【０００５】
上框と縦框は、上枠の上レール部を飲み込んでいるため、上レール部に対する掛かりに
よって、障子の上辺がそれ以上、室外側に向かって移動することを規制するが、高温時に
は上框や縦框を構成するアルミ材が軟化して強度が低下するため、障子の上辺の移動を規
制できなくなる可能性がある。障子の上辺の移動を上レール部によって規制できないと、
障子が枠体から外れて室内外が貫通し、熱や炎が室内外に伝わってしまうこととなる。
【０００６】
本発明は前記課題を鑑みてなされたものであり、火災発生時にも障子上辺の上レール部
に対する掛かりを維持して室内外の貫通を防止することのできるサッシを提供することを
目的とする。
【課題を解決するための手段】
【０００７】
前記課題を解決するため、請求項１の発明に係るサッシは、上枠と下枠及び左右の縦枠
を枠組みしてなる枠体内に、上框と下框及び左右の縦框を框組みした框体内にパネル体を
納めてなる障子を納めたサッシにおいて、
前記上枠には前記障子の上辺を案内する上レール部が形成され、前記框体の上辺には前
記上レール部を飲み込む凹状の上案内部が形成され、該上案内部には前記上レール部の室
内側面と見込方向に向かい合う上レール対向部が設けられることを特徴として構成されて
いる。
【０００８】
請求項１に係る発明によれば、上レール対向部によって上案内部の室内側辺が補強され
、火災発生時に障子の上辺が室外側に引っ張られるように力を受けた場合に、上案内部が
上レール部を飲み込んだ状態を維持して、障子が枠体から外れないようにすることができ
る。
【０００９】
また、請求項２の発明に係るサッシは、前記縦框には長手方向に沿って補強芯材が設け
られ、該補強芯材の上端部に前記上レール対向部が設けられることを特徴として構成され
ている。
【００１０】
請求項２に係る発明によれば、上レール対向部のために新たな部品を設ける必要がなく
、簡易に上案内部の補強をなすことができる。
【００１１】
さらに、請求項３の発明に係るサッシは、前記補強芯材の上レール対向部は前記縦框の
上案内部の室内側辺に沿うように形成されることを特徴として構成されている。
【００１２】
請求項３に係る発明によれば、上レール部から力を受ける上案内部の室内側辺を上レー
ル対向部によって補強することができる。
【００１３】
さらにまた、請求項４の発明に係るサッシは、前記上框には前記上レール対向部を有し
た振止部材が固定されることを特徴として構成されている。
【００１４】
請求項４に係る発明によれば、上框においても上案内部を補強して、火災発生時におい
てより確実に障子が枠体から外れないようにすることができる。
【００１５】
そして、請求項５の発明に係るサッシは、前記振止部材は、前記上框の上案内部内に固
定される固定部と、該固定部から伸びる前記上レール対向部とからなり、該上レール対向
部は前記上案内部を構成する室内側壁に沿うことを特徴として構成されている。
【００１６】
請求項５に係る発明によれば、振止部材が上案内部に沿う形状を有しているので、取付
が容易で、かつ確実に上案内部の室内側壁を補強することができる。
【発明の効果】
【００１７】
本発明に係るサッシによれば、上案内部の強度を向上させることができるので、火災発
生時にも障子上辺の上レール部に対する掛かりを維持して室内外の貫通を防止することが
できる。
【図面の簡単な説明】
【００１８】
【図１】第１の実施形態におけるサッシの縦断面図である。
【図２】第１の実施形態におけるサッシの横断面図である。
【図３】外障子を構成する外召合わせ框の横断面図である。
【図４】外召合わせ框の内周側から見た側面図である。
【図５】補強芯材を内周側から見た側面図である。
【図６】補強芯材を中空部内に挿入した外召合わせ框の内周側から見た側面図である。
【図７】外障子を構成する上框の縦断面図である。
【図８】上框の正面図である。
【図９】火災発生時における外障子の外召合わせ框付近拡大縦断面図である。
【図１０】火災発生時における外障子の上框付近拡大縦断面図である。
【図１１】火災発生時における上框の縦断面図である。
【図１２】第２の実施形態におけるサッシの縦断面図である。
【図１３】第２の実施形態におけるサッシの横断面図である。
【図１４】外障子の外召合わせ框付近拡大縦断面図である。
【図１５】火災発生時における外障子の外召合わせ框付近拡大縦断面図である。
【発明を実施するための形態】
【００１９】
本発明の実施形態について図面に沿って詳細に説明する。図１には第１の実施形態にお
けるサッシの縦断面図を、図２には第１の実施形態におけるサッシの横断面図を、それぞ
れ示している。これら各図に示すように、本実施形態のサッシは、建物開口部に取付けら
れた枠体１内に内障子２と外障子３とを引き違い状に納めた引き違いサッシである。また
、外障子３の室外側には網戸７が配置されている。
【００２０】
枠体１は、上枠１０と下枠１１及び左右の縦枠１２，１２を方形状に枠組みして形成さ
れている。上枠１０は、アルミ製の金属上枠１０ａの室内側露出部分を樹脂製の樹脂上枠
１０ｂで被覆して構成されている。また、上枠１０の内周面には、内障子２の上辺と外障
子３の上辺をそれぞれ長手方向に案内する室内外２条の上レール部１０ｃ，１０ｃが形成
されている。
【００２１】
下枠１１は、アルミ製の金属下枠１１ａの室内側露出部分を樹脂製の樹脂下枠１１ｂで
被覆して構成されている。また、下枠１１の上面には、内障子２に設けられる戸車３３と
外障子３に設けられる戸車３３を、それぞれ載置して内障子２と外障子３を走行自在とす
る室内外２条の下レール部１１ｃ，１１ｃが形成されている。
【００２２】
縦枠１２は、アルミ製の金属縦枠１２ａの室内側露出部分を樹脂製の樹脂縦枠１２ｂで
被覆して構成されている。このように、枠体１は金属材の室内側露出部分を樹脂材で覆っ
ているので、断熱性を高くすることができると共に、室内側からの意匠性も良好にするこ
とができる。また、各樹脂材の室内側端部には、室内側に向かって延出されたアングル部
１３が形成されている。アングル部１３は、枠体１の室内側に配置される額縁材６の内周
面に当接されている。
【００２３】
内障子２と外障子３は、それぞれ框体４内に複層ガラス板からなるパネル体５を納めて
構成されている。内障子２の框体４は、上框２０と下框３０、枠側縦框４０と内召合わせ
框５０を方形状に框組みして構成されている。外障子３の框体４は、上框２０と下框３０
、枠側縦框４０と外召合わせ框６０を方形状に框組みして構成されている。
【００２４】
框体４を構成する上框２０は、アルミ製の金属上框２１の室内側露出部分を樹脂製の樹
脂上框２２で被覆して構成されている。上框２０の外周側には、上方に向かって開放状の
上案内部２３が形成されている。上案内部２３は、金属上框２１によって形成された底壁
２３ａと、該底壁２３ａの室内側端部から上方に伸びる室内側壁２３ｂと、底壁２３ａの
室外側端部から上方に伸びる室外側壁２３ｃとによって、断面略凹状をなしている。上框
２０の上案内部２３は、上枠１０の上レール部１０ｃを飲み込んでいる。
【００２５】
框体４を構成する下框３０は、アルミ製の金属下框３１の室内側露出部分を樹脂製の樹
脂下框３２で被覆して構成されている。枠側縦框４０も、アルミ製の金属縦框４１の室内
側露出部分を樹脂製の樹脂縦枠４２で被覆して構成されている。また、内召合わせ框５０
についても、アルミ製の金属内召合わせ框５１の室内側露出部分が樹脂製の樹脂内召合わ
せ框５２によって被覆されている。外召合わせ框６０は、室内側に露出する部分が少ない
ので、大半がアルミ製の金属外召合わせ框６１によって構成されているが、室内側面の内
周端部付近は室内側に露出するので、樹脂製の樹脂外召合わせ框６２が設けられている。
【００２６】
外障子３を構成する外召合わせ框６０についてより詳細に説明する。図３には、外障子
３を構成する外召合わせ框６０の横断面図を示している。外召合わせ框６０には、長手方
向に沿う中空部６５が形成されており、中空部６５内には、スチール製の補強芯材７０が
設けられ固定されている。また、パネル体を納める側の内周面には、加熱発泡材６６が配
置されている。
【００２７】
補強芯材７０は、それぞれ断面略Ｕ字状をなす第１部材７１と第２部材７２とを一体化
して構成されている。第１部材７１は、第２部材７２よりも一回り大きい寸法に形成され
ていて、第１部材７１のＵ字形状の内部に第２部材７２が納められている。補強芯材７０
は、長手方向に略同じ断面形状を有しているが、上端部付近には曲げ加工によって長手方
向に面する載置面部７１ａが形成されている。補強芯材７０の各面には、加熱発泡材７４
，７５が配置されている。
【００２８】
図４には、外召合わせ框６０の内周側から見た側面図を示している。外召合わせ框６０
の内周面に設けられる加熱発泡材６６は、外召合わせ框６０の長手方向に沿って複数枚が
設けられている。また、外召合わせ框６０の上端部には、凹状に切り欠かれた上案内部６
３が形成されている。
【００２９】
外召合わせ框６０の上案内部６３は、底辺６３ａと室内側辺６３ｂ及び室外側片６３ｃ
とで凹状をなしており、上枠１０の上レール部１０ｃを跨ぐように形成されている。また
、外召合わせ框６０の上案内部６３は、上框２０の上案内部２３と連続状となる。外召合
わせ框６０の下端部にも、凹状に切り欠かれた下側凹部６４が形成されている。下側凹部
６４は、下枠１１の下レール部１１ｃを跨いでこれと干渉しないために形成されている。
【００３０】
外召合わせ框６０の内周面には、上端部近傍に上框２０との連結に用いる連結孔６０ａ
，６０ａが形成されている。また、外召合わせ框６０の内周面下端部近傍には、下框３０
との連結に用いる連結孔６０ａ，６０ａと、戸車３３の調整を行うための戸車調整口６０
ｂとが形成されている。
【００３１】
図５には、補強芯材７０を内周側から見た側面図を示している。補強芯材７０の各面に
は、前述のように複数の加熱発泡材７５が配置されている。また、補強芯材７０の載置面
部７１ａには、加熱発泡材７４が載置されている。これらの加熱発泡材７４，７５は、火
災発生時には発泡して体積が膨張し、中空部６５内や、上框２０や下框３０との連結部分
に生じる隙間、及び戸車調整口６０ｂを充填して、框体４の室内外が連通しないようにす
ることができる。
【００３２】
補強芯材７０を構成する第１部材７１の上端部室内側には、凸状の上レール対向部７３
が形成されている。上レール対向部７３は、補強芯材７０を外召合わせ框６０の中空部６
５に挿入した際に、外召合わせ框６０の上案内部６３の室内側辺６３ｂに沿う室外側辺７
３ａを有するように形成されている。また、第１部材７１の下端部には、凹状に切り欠か
れた下側凹部７１ｂが形成されている。
【００３３】
下側凹部７１ｂは、補強芯材７０を外召合わせ框６０の中空部６５に挿入した際に、外
召合わせ框６０の下側凹部６４と重なり合うように形成されている。これにより、補強芯
材７０の下端部が下枠１１の下レール部１１ｃと干渉しないようにすると共に、補強芯材
７０により外召合わせ框６０の下側凹部６４を補強することができる。
【００３４】
図６には、補強芯材７０を中空部６５内に挿入した外召合わせ框６０の内周側から見た
側面図を示している。この図に示すように、外召合わせ框６０の長手方向に沿って延びる
補強芯材７０に形成された上レール対向部７３は、外召合わせ框６０の上案内部６３の室
内側辺６３ｂに沿う形状を有しているので、外障子３が枠体１内に納められた際には、上
レール対向部７３は上レール部１０ｃの室内側面と見込方向に向かい合うことになり、外
召合わせ框６０の上案内部６３を補強する。
【００３５】
図７には、外障子３を構成する上框２０の縦断面図を示している。この図には、上枠１
０の上レール部１０ｃについても併せて示している。金属上框２１には、室内側面の上部
と下部に、それぞれ上被係合部２１ａと下被係合部２１ｂが形成されており、樹脂上框２
２に形成される上係合部２２ａと下係合部２２ｂがそれぞれ係合固定される。樹脂上框２
２の上係合部２２ａと下係合部２２ｂの間は、金属上框２１の室内側面と対向する対向面
部２２ｄとなっている。樹脂上框２２の対向面部２２ｄには、上下方向中央部に室外側に
向かって伸びるフィン部２２ｃが形成されており、その先端部が金属上框２１の室内側面
に当接あるいは近接している。樹脂上框２２の対向面部２２ｄは、金属上框２１の室内側
面と離隔しており、これらの間に空間部を形成している。
【００３６】
金属上框２１に形成された上案内部２３内には、底壁２３ａ及び室外側壁２３ｃにそれ
ぞれ加熱発泡材２７が配置される。金属上框２１の上案内部２３より下方には、中空部２
１ｃが形成されており、中空部２１ｃ内にはスチール製の補強芯材２６が設けられる。補
強芯材２６にも、加熱発泡材２８が配置される。さらには、金属上框２１の内周面にも、
加熱発泡材２８が配置されている。これらの加熱発泡材２７，２８は、火災発生時には発
泡して体積が膨張し、上框２０と上枠１０との間の隙間や、上框２０の中空部２１ｃ内な
どを塞いで、室内外が連通しないようにすることができる。
【００３７】
上框２０の上案内部２３には、スチール製の振止部材２５が固定されている。振止部材
２５は、上案内部２３の底壁２３ａに対して当接固定される固定部２５ａと、固定部２５
ａの室内端部から上方に立ち上がる上レール対向部２５ｂとを有した断面略Ｌ字状に形成
されている。振止部材２５の上レール対向部２５ｂは、上案内部２３を構成する室内側壁
２３ｂに沿うように配置される。このため、振止部材２５の上レール対向部２５ｂは、上
案内部２３に飲み込まれる上レール部１０ｃの室内側面と見込方向に向かい合うことにな
り、上框２０の上案内部２３を補強する。この振止部材２５の上レール対向部２５ｂにも
、加熱発泡材２７が配置される。
【００３８】
金属上框２１の室内側面には、樹脂上框２２の対向面部２２ｄと対向するように加熱発
泡材２９が配置されている。この加熱発泡材２９は、樹脂上框２２の上係合部２２ａと下
係合部２２ｂ間であって、金属上框２１の室内側面と樹脂上框２２の対向面部２２ｄとの
間に形成される空間部内に配置されることとなる。なお、この加熱発泡材２９は、本実施
形態では金属上框２１の室内側面に取付けられているが、金属上框２１と樹脂上框２２の
間に配置されればよく、樹脂上框２２側に取付けられていてもよい。
【００３９】
図８には、上框２０の正面図を示している。上案内部２３内に配置される振止部材２５
は、長手方向の長さが小さいピース状の部材として形成されている。振止部材２５に取付
けられる加熱発泡材２７は、振止部材２５の長手方向略全長に渡って設けられている。上
案内部２３の底壁２３ａには、振止部材２５が設けられる領域以外の領域に加熱発泡材２
７が配置される。
【００４０】
中空部２１ｃ内の補強芯材２６には、上框２０の両端部付近にそれぞれ加熱発泡材２８
が配置されている。金属上框２１と樹脂上框２２の間に設けられる加熱発泡材２９は、金
属上框２１の長手方向略全長に渡って設けられている。ただし、加熱発泡材の配置はこれ
に限られず、他の部材と干渉しない範囲で、より短い、あるいはより長くてもよい。
【００４１】
図９には、火災発生時における外障子３の外召合わせ框６０付近拡大縦断面図を示して
いる。なお、本図では加熱発泡材は省略している。火災が発生してサッシが室外側から高
温に晒されると、框体４を構成する各框材は、熱伸びを生じると共に、室内外の温度差か
ら室外側に向かって凸状となるように屈曲する。これにより、外障子３は室外側に向かっ
て開いていく方向に力を受けることになる。
【００４２】
框体４の上辺においては、図９に示すように、下側が室外側に引っ張られるように傾倒
し、上枠１０の上レール部１０ｃに対して外召合わせ框６０の上案内部６３のうち室内側
辺６３ｂが圧接した状態となる。外召合わせ框６０はアルミ製であるため、高温に晒され
ると軟化して強度が低下する。上案内部６３の強度が十分でないと、框体４は上案内部６
３から外れて外障子３が開いてしまうこととなる。
【００４３】
これに対し、外召合わせ框６０の補強芯材７０に設けられた上レール対向部７３はスチ
ール製であるので火災発生時にも強度を保つことができ、これによって上案内部６３の室
内側辺６３ｂが補強されており、この上レール対向部７３が上レール部１０ｃと見込方向
に向かい合うように配置されているので、図９のような状態になっても、上案内部６３に
上レール部１０ｃが引っ掛かった状態を維持することができる。すなわち、外障子３が開
いてしまうことを防止することができる。
【００４４】
図１０には、火災発生時における外障子３の上框２０付近拡大縦断面図を示している。
なお、本図では加熱発泡材は省略している。上框２０も、外召合わせ框６０と同様に、火
災発生時には室外側に傾倒するように力を受ける。このとき、上枠１０の上レール部１０
ｃに対して振止部材２５の上レール対向部２５ｂが圧接する。振止部材２５はスチール製
であるため、火災時にも強度を保つことができ、これが上レール部１０ｃに引っ掛かるこ
とで、外障子３が開いてしまうことを防止することができる。
【００４５】
このように、本実施形態のサッシでは、外召合わせ框６０の上案内部６３に上レール対
向部７３を設け、さらに上框２０の上案内部２３にも上レール対向部２５ｂを設けたこと
により、火災発生時に室外側から加熱された場合に、外障子３の上辺において上案内部６
３，２５ｂから上レール部１０ｃが外れないようにして外障子３の脱落を防止し、室内外
が連通することによる熱や炎の貫通を防ぐことができる。これにより、防火性能の高いサ
ッシとすることができる。
【００４６】
また、外召合わせ框６０の下部においては、前述のように補強芯材７０の下側凹部７１
ｂが、外召合わせ框６０下端部の下側凹部６４と略重なり合っていて、これを補強してい
る。外召合わせ框６０の下部も、火災発生時には室外側に引っ張られるように力を受ける
が、このとき、外召合わせ框６０の下側凹部６４が補強されていることにより、下側凹部
６４の下レール部１１ｃに対する掛かりが維持されて、外障子３が枠体１から外れないよ
うにすることができる。
【００４７】
図１１には、火災発生時における上框２０の縦断面図を示している。図１１（ａ）は、
火災発生時に加熱発泡材２９が発泡し始めた段階を表している。上框２０の上案内部２３
内に配置された加熱発泡材２７は、上案内部２３内を充填し、上框２０の中空部２１ｃ内
に配置された加熱発泡材２８は、中空部２１ｃ内を充填する。
【００４８】
金属上框２１の室内側面に設けられた加熱発泡材２９は、火災時に金属上框２１を介し
て温度が上昇し、所定温度、例えば２００℃程度になると発泡を開始する。その発泡方向
は、加熱発泡材２９が面する方向、すなわち室内側に向かって発泡し、体積が膨張する。
加熱発泡材２９が設けられる金属上框２１の室内側面と樹脂上框２２の対向面部２２ｄと
の間には隙間があるので、図１１（ａ）に示すように、加熱発泡材２９の発泡側先端が樹
脂上框２２に達するまで、加熱発泡材２９は膨張を続ける。
【００４９】
加熱発泡材２９が樹脂上框２２に達しても火災が継続していると、加熱発泡材２９はさ
らに発泡を継続する。これにより、樹脂上框２２は加熱発泡材２９によって室内側に向か
って押圧される。温度が上昇すると、樹脂上框２２は軟化するので、上係合部２２ａと下
係合部２２ｂの金属上框２１に対する係合力は低下していく。これに加えて加熱発泡材２
９により樹脂上框２２が室内側に押圧されることにより、図１１（ｂ）に示すように、樹
脂上框２２は室内側に落下する。
【００５０】
加熱発泡材２９がなくても、樹脂上框２２は火災発生から時間が経過することでやがて
金属上框２１から落下するが、加熱発泡材２９を金属上框２１と樹脂上框２２の間に設け
て、加熱発泡材２９により樹脂上框２２を室内側に押圧するようにしたことで、火災時の
比較的早期に樹脂上框２２を金属上框２１から確実に落下させることができる。金属上框
２１から室内側に落下した樹脂上框２２は、炎や熱を直接受けにくくなるため、発火する
ことを防止できる。これによって、サッシの防火性能を向上させることができる。
【００５１】
次に、本発明の第２の実施形態について説明する。図１２には第２の実施形態における
サッシの縦断面図を、図１３には第２の実施形態におけるサッシの横断面図を、それぞれ
示している。これら各図に示すように、本実施形態のサッシは、建物開口部に取付けられ
た枠体１０１内に内障子１０２と外障子１０３とを引き違い状に納めた引き違いサッシで
ある。また、外障子１０３の室外側には網戸１０７が配置されている。
【００５２】
枠体１０１は、上枠１１０と下枠１１１及び左右の縦枠１１２，１１２を方形状に枠組
みして形成されている。上枠１１０と下枠１１１及び縦枠１１２は、いずれもアルミ製で
ある。すなわち、第２の実施形態のサッシはアルミサッシである。なお、枠体１０１の室
内端部には、樹脂製のアングル部１１３が設けられていて、枠体１０１の室内側に設けら
れる額縁材１０６の内周面に当接されている。
【００５３】
上枠１１０の内周面には、内障子１０２の上辺と外障子１０３の上辺をそれぞれ長手方
向に案内する室内外２条の上レール部１１０ｃ，１１０ｃが形成されている。下枠１１１
の上面には、内障子１０２に設けられる戸車１３３と外障子１０３に設けられる戸車１３
３を、それぞれ載置して内障子１０２と外障子１０３を走行自在とする室内外２条の下レ
ール部１１１ｃ，１１１ｃが形成されている。
【００５４】
内障子１０２と外障子１０３は、それぞれ框体１０４内に複層ガラス板からなるパネル
体１０５を納めて構成されている。内障子１０２の框体１０４は、上框１２０と下框１３
０、枠側縦框１４０と内召合わせ框１５０を方形状に框組みして構成されている。外障子
１０３の框体１０４は、上框１２０と下框１３０、枠側縦框１４０と外召合わせ框１６０
を方形状に框組みして構成されている。
【００５５】
框体１０４を構成する上框１２０と下框１３０、枠側縦框１４０、内召合わせ框１５０
及び外召合わせ框１６０は、いずれもアルミ製である。上框１２０の外周側には、上方に
向かって開放状の上案内部１２３が形成されている。上框１２０の上案内部１２３は、上
枠１１０の上レール部１１０ｃを飲み込んでいる。外召合わせ框１６０には、長手方向に
沿って中空部１６５が形成されており、中空部１６５内にはスチール製の補強芯材１７０
が設けられている。
【００５６】
図１４には、外障子１０３の外召合わせ框１６０付近拡大縦断面図を示している。この
図に示すように、外召合わせ框１６０の上端部には、凹状に切り欠かれた上案内部１６３
が形成されている。上案内部１６３は、底辺１６３ａと室内側辺１６３ｂ及び室外側辺１
６３ｃとで凹状をなしており、上枠１１０の上レール部１１０ｃを跨ぐように形成されて
いる。外召合わせ框１６０の上案内部１６３は、上框１２０の上案内部１２３と連続状と
なる。
【００５７】
補強芯材１７０の上端部室内側には、凸状の上レール対向部１７３が形成されている。
上レール対向部１７３は、外召合わせ框１６０の上案内部１６３の室内側辺１６３ｂに沿
う室外側辺１７３ａを有するように形成されていて、上枠１１０の上レール部１１０ｃと
見付方向に向かい合うように配置される。
【００５８】
図１５には、火災発生時における外障子１０３の外召合わせ框１６０付近拡大縦断面図
を示している。火災により室外側から加熱された場合、第１の実施形態の場合と同様に外
障子１０３は室外側に向かって開いていく方向に力を受け、図１５のように框体１０４の
上辺が傾倒する。
【００５９】
外召合わせ框１６０の補強芯材１７０に設けられた上レール対向部１７３はスチール製
であるので火災発生時にも強度を保つことができ、これによって上案内部１６３の室内側
辺１６３ｂが補強されており、この上レール対向部１７３が上レール部１１０ｃと見込方
向に向かい合うように配置されているので、図１５のような状態になっても、上案内部１
６３に対する上レール部１１０ｃが掛かりを維持することができる。すなわち、外障子１
０３が開いてしまうことを防止することができる。
【００６０】
このように、アルミサッシにおいても、外召合わせ框１６０に上レール対向部１７３を
設けたことにより、火災発生時に室外側から加熱された場合に、外障子１０３の上辺にお
いて上案内部１６３から上レール部１１０ｃが外れないようにして外障子１０３の脱落を
防止し、室内外が連通することによる熱や炎の貫通を防ぐことができる。これにより、防
火性能の高いサッシとすることができる。
【００６１】
本実施形態では、第１の実施形態と異なり、上框１２０に上レール対向部を設けていな
いが、第１の実施形態のような複合サッシに比べて、本実施形態のアルミサッシの框材は
強度が大きいので、外召合わせ框１６０に上レール対向部１７３を設けるだけで、十分な
強度を確保することができる。
【００６２】
第１及び第２の実施形態において、上レール対向部は外障子の上辺に設けられるが、内
障子の上辺に上レール対向部を設けてもよい。また、上レール対向部は召合わせ框に設け
られているが、枠側縦框にも上レール対向部を設けるようにしてもよい。
【００６３】
以上、本発明の実施形態について説明したが、本発明の適用は本実施形態には限られず
、その技術的思想の範囲内において様々に適用されうるものである。
【符号の説明】
【００６４】
１    枠体
２    内障子
３    外障子
４    框体
５    パネル体
１０    上枠
１０ｃ  上レール部
１１    下枠
１２    縦枠
２０    上框
２１    金属上框
２２    樹脂上框
２３    上案内部
２３ａ  底壁
２３ｂ  室内側壁
２３ｃ  室外側壁
２５    振止部材
２５ａ  固定部
２５ｂ  上レール対向部
２６    補強芯材
２９    加熱発泡材
３０    下框
３１    金属下框
３２    樹脂下框
４０    枠側縦框
４１    金属縦框
４２    樹脂縦框
５０    内召合わせ框
５１    金属内召合わせ框
５２    樹脂内召合わせ框
６０    外召合わせ框
６１    金属外召合わせ框
６２    樹脂外召合わせ框
６３    上案内部
６３ａ  底辺
６３ｂ  室内側辺
６３ｃ  室外側辺
６５    中空部
７０    補強芯材
７１    第１部材
７１ａ  載置面部
７１ｂ  下側凹部
７２    第２部材
７３    上レール対向部
７３ａ  室外側辺
【図１】
2014109090.tif 000003
【図２】
2014109090.tif 000004
【図３】
2014109090.tif 000005
【図４】
2014109090.tif 000006
【図５】
2014109090.tif 000007
【図６】
2014109090.tif 000008
【図７】
2014109090.tif 000009
【図８】
2014109090.tif 000010
【図９】
2014109090.tif 000011
【図１０】
2014109090.tif 000012
【図１１】
2014109090.tif 000013
【図１２】
2014109090.tif 000014
【図１３】
2014109090.tif 000015
【図１４】
2014109090.tif 000016
【図１５】
2014109090.tif 000017